(57)【特許請求の範囲】
【請求項１】
セル通信装置であって、
セル測定が要求されたセルを識別する隣接セルリストを含む測定制御命令を受信する手段と、
前記セル通信装置の現在の状態に依存して要求されたセル測定に関して提供されたネットワーク規定の適合性を判断する手段と、
要求されたセル測定を取得する手段と、
要求されたセル測定の状態を示す、または、要求されたセル測定に対する前記ネットワーク規定の適合性を示す測定状態データを含む測定報告を生成する手段と、を有するセル通信装置。
【請求項２】
前記生成する手段は、前記状態データと前記受信したセルリストにおいて識別される１つ以上の前記セルの測定とを含む測定報告を生成するように動作可能である、請求項１に記載の装置。
【請求項３】
前記状態データは、報告可能な全てのセルが報告済みであるか否かと、以降の報告する機会においてさらなるセルが報告される可能性があるまたは報告されることになるか否かと、を示すデータを含んでいる、請求項１または２に記載の装置。
【請求項４】
前記状態データは、さらなるセル測定が報告される可能性があるが、前記ネットワークによって規定されている測定ギャップが非効率的な動作を引き起こすことを示すデータを含んでいる、請求項３に記載の装置。
【請求項５】
前記状態データは、前記装置が、受信した前記測定制御命令内に含まれる報告間隔によって定められた最初の報告時刻までに、要求された測定を実行できるか否かを示すデータを含んでいる、請求項１から４のいずれか１項に記載の装置。
【請求項６】
前記状態データは、ネットワークが規定した測定ギャップが短すぎるか否か、および／または、他の予約されているリソースに近すぎるか否かを示すか、または、前記装置は任意の他の理由で要求された測定をサポートしていないことを示すデータを含んでいる、請求項１から５のいずれか１項に記載の装置。
【請求項７】
前記状態データは、測定が完了する予測時刻を示すデータを含んでいる、請求項１から６のいずれか１項に記載の装置。
【請求項８】
前記状態データは、効果的な測定が可能となるのに必要な最小の測定ギャップ構成を示すデータを含んでいる、請求項１から７のいずれか１項に記載の装置。
【請求項９】
前記生成する手段は、前記セルリスト内のセルの部分集合についてのセル測定を含む測定報告の系列を生成するように動作可能であり、前記系列内の各報告は、最後の報告を除いて、さらなる測定が報告される可能性があるまたは報告されることになることを示す状態データを含んでいる、請求項１から８のいずれか１項に記載の装置。
【請求項１０】
前記生成する手段は、測定可能な全てのセルが少なくとも１度は報告されていることを示す状態データを備える前記系列内の最後の報告を生成するように動作可能である、請求項９に記載の装置。
【請求項１１】
各測定報告を遠隔ネットワークノードに送信する手段を有する、請求項１から１０のいずれか１項に記載の装置。
【請求項１２】
前記セル測定を取得する手段は、前記状態データを備える測定報告が前記遠隔ネットワークに送信された後に前記測定を継続して取得するように動作可能である、請求項１１に記載の装置。
【請求項１３】
前記測定制御命令は、前記ネットワークが前記測定報告を予期している報告時刻を定めたデータを含んでおり、前記生成する手段は、前記報告時刻の前に前記測定報告を生成するように動作可能である、請求項１から１２のいずれか１項に記載の装置。
【請求項１４】
前記ネットワーク規定は、正常なデータ通信に対して提供されている測定ギャップ、または、要求されたセル測定を報告すべき時刻を定める報告間隔を有している、請求項１から１３のいずれか１項に記載の装置。
【請求項１５】
前記装置は、該装置の性能を示すネットワーク性能データを合図するように動作可能であり、前記性能データは、該装置が測定状態データを提供可能であることを示すデータを含んでいる、請求項１から１４のいずれか１項に記載の装置。
【請求項１６】
セル通信装置によって実行される方法であって、
セル測定が要求されたセルを識別する隣接セルリストを含む測定制御命令を受信するステップと、
前記セル通信装置の現在の状態に依存して要求されたセル測定に関して提供されたネットワーク規定の適合性を判断するステップと、
要求されたセル測定を取得するステップと、
要求されたセル測定の状態を示す、または、要求されたセル測定に対する前記ネットワーク規定の適合性を示す測定状態データを含む測定報告を生成するステップと、を有する方法。
【請求項１７】
前記生成するステップでは、前記状態データと前記受信したセルリストにおいて識別される１つ以上のセルの測定とを含む測定報告を生成する、請求項１６に記載の方法。
【請求項１８】
前記状態データは、報告可能な全てのセルが報告済みであるか否かと、以降の報告する機会においてさらなるセルが報告される可能性があるまたは報告されることになるか否かと、を示すデータを含んでいる、請求項１６または１７に記載の方法。
【請求項１９】
前記状態データは、さらなるセルが報告される可能性があるが、前記ネットワークによって規定されている測定ギャップが非効率な動作を引き起こすことを示すデータを含んでいる、請求項１８に記載の方法。
【請求項２０】
前記状態データは、前記装置が、受信した前記測定制御命令内に含まれる報告間隔によって定められた最初の報告時刻までに、要求された測定を実行できるか否かを示すデータを含んでいる、請求項１６から１９のいずれか１項に記載の方法。
【請求項２１】
前記状態データは、ネットワークが規定した測定ギャップが短すぎるか否か、および／または、他の予約されているリソースに近すぎるか否かを示すか、または、前記装置は任意の他の理由で要求された測定をサポートしていないことを示すデータを含んでいる、請求項１６から２０のいずれか１項に記載の方法。
【請求項２２】
前記状態データは、測定が完了する予測時刻を示すデータを含んでいる、請求項１６から２１のいずれか１項に記載の方法。
【請求項２３】
前記状態データは、効果的な測定が可能となるのに必要な最小の測定ギャップ構成を示すデータを含んでいる、請求項１６から２２のいずれか１項に記載の方法。
【請求項２４】
前記生成するステップでは、前記セルリスト内のセルの部分集合についてのセル測定を含む測定報告の系列を生成し、前記系列内の各報告は、最後の報告を除いて、さらなる測定が報告される可能性があるまたは報告されることになることを示す状態データを含んでいる、請求項１６から２３のいずれか１項に記載の方法。
【請求項２５】
前記生成するステップでは、前記系列内の測定可能な全てのセルが少なくとも１度は報告されていることを示す状態データを備える最後の報告を生成する、請求項２４に記載の方法。
【請求項２６】
各測定報告を遠隔ネットワークノードに送信するステップを有する、請求項１６から２５のいずれか１項に記載の方法。
【請求項２７】
前記ネットワーク規定は、正常なデータ通信に対して提供されている測定ギャップ、または、要求されたセル測定を報告すべき時刻を定める報告間隔を有している、請求項１６から２６のいずれか１項に記載の方法。
【請求項２８】
前記装置の性能を示す性能データを前記ネットワークに合図するステップを有し、前記性能データは前記装置が測定状態データを提供可能であることを示すデータを含んでいる、請求項１６から２７のいずれか１項に記載の方法。
【請求項２９】
セル通信装置と通信するように動作可能なネットワーク通信ノードであって、
前記セル通信装置からセル測定が要求されたセルを識別する最初の隣接セルリストを含む測定制御命令を出力する手段と、
前記セル通信装置が要求されたセル測定を実施し報告できるようにネットワーク規定を提供する手段と、
要求された測定の状態を示す、または、要求されたセル測定に対する前記ネットワーク規定の適合性を示す測定状態データを含む測定報告を前記セル通信装置から受信する手段と、
１つ以上のさらなる測定報告を待つか、または、要求された測定に対して新規の前記ネットワーク規定を定めるかどうかを判断する手段と、を有する、ネットワーク通信ノード。
【請求項３０】
前記受信する手段は、前記状態データと前記受信したセルリストにおいて識別される１つ以上の前記セルの測定とを含む測定報告を受信するように動作可能であり、受信した測定を保存する手段をさらに有する、請求項２９に記載のノード。
【請求項３１】
前記状態データは、報告可能な全てのセルが報告済みであるか否かと、以降の報告する機会においてさらなるセルが報告される可能性があるまたは報告されることになるか否かと、を示すデータを含んでおり、前記判断する手段は、前記状態データが前記セル測定は以降の報告の機会において報告される可能性があることまたは報告されることを示している場合に、１つ以上のさらなる測定報告を待つと判断するように動作可能である、請求項２９または３０に記載のノード。
【請求項３２】
前記状態データは、さらなるセルが報告される可能性があるが、前記ネットワークによって規定されている測定ギャップが非効率な動作を引き起こすことを示すデータを含んでおり、前記判断する手段は、前記セル測定に対して新規の前記ネットワーク規定を定めるように動作可能である、請求項３１に記載のノード。
【請求項３３】
前記状態データは、前記装置が、前記測定制御命令内に含まれる報告間隔によって定められた最初の報告時刻までに、要求された測定を実行できるか否かを示すデータを含んでおり、前記判断する手段は、前記セル測定を受信するために前記最初の報告時刻を待つように動作可能である、請求項２９から３２のいずれか１項に記載のノード。
【請求項３４】
前記状態データは、測定ギャップおよび／または報告間隔が短すぎるか否か、および／または、予約されている他のリソースに近すぎるか否かを示すデータを含んでおり、前記判断する手段は、受信した状態データに依存して新規の報告間隔または測定ギャップを定めるように動作可能である、請求項２９から３３のいずれか１項に記載のノード。
【請求項３５】
前記状態データは、測定が完了する予測時刻を示すデータを含んでおり、前記判断する手段は、新規のセルリストを備える新規の測定命令を出力すると決定する前に、前記予測時刻まで待つように動作可能である、請求項２９から３４のいずれか１項に記載のノード。
【請求項３６】
前記状態データは、効果的な測定が可能となるのに必要な最小の測定ギャップ構成を示すデータを含んでおり、前記判断する手段は、受信した状態データに依存して新規の測定ギャップ構成を定めるように動作可能である、請求項２９から３５のいずれか１項に記載のノード。
【請求項３７】
前記受信する手段は、前記セルリスト内のセルの部分集合についてのセル測定を含む測定報告の系列を受信するように動作可能であって、前記系列内の各報告は、最後の報告を除いて、さらなる測定が報告される可能性があることまたは報告されることになることを示す状態データを含んでおり、前記判断する手段は、新規のセルリストを備える新規の測定命令を出力すると決定する前に、次の報告間隔まで待つと判断するように動作可能である、請求項２９から３６のいずれか１項に記載のノード。
【請求項３８】
前記受信する手段は、測定可能な全てのセルが少なくとも１度は報告されていることを示す状態データを備える前記系列内の最後の報告を受信するように動作可能であり、前記判断する手段は、最後の報告の受信に応答して新規のセルリストを備える新規の測定命令を生成するか否かを判断するように動作可能である、請求項３７に記載のノード。
【請求項３９】
受信したセル測定を使用して、ハンドオーバー手順のための目標ネットワーク通信ノードを判断する手段を有する、請求項２９から３８のいずれか１項に記載のノード。
【請求項４０】
１つ以上のセル通信装置と通信するネットワーク通信ノードによって実行される方法であって、
前記セル通信装置からセル測定が要求されたセルを識別する最初の隣接セルリストを含む測定制御命令を出力するステップと、
前記セル通信装置が要求されたセル測定を実施し報告できるようにネットワーク規定を提供するステップと、
要求された測定の状態を示す、または、要求されたセル測定に対する前記ネットワーク規定の適合性を示す測定状態データを含む測定報告を前記セル通信装置から受信するステップと、
１つ以上のさらなる測定報告を待つか、または、要求された測定に対して新規のネットワーク規定を定めるかを判断するステップと、を有する方法。
【請求項４１】
セル通信装置であって、
セル測定が要求されたセルを識別する隣接セルリストを含む測定制御命令を受信するトランシーバと、
ｉ）前記セル通信装置の現在の状態に依存して要求されたセル測定に関して提供されたネットワーク規定の適合性を判断し、
ｉｉ）要求されたセル測定を取得し、
ｉｉｉ）要求された測定の状態を示す、または、要求されたセル測定に対するネットワーク規定の適合性を示す測定状態データを含む測定報告を生成するように動作可能なコントローラと、を有するセル通信装置。
【請求項４２】
１つ以上のセル通信装置と通信するように動作可能なネットワーク通信ノードであって、
最初の隣接セルリストを含む測定制御命令を前記セル通信装置に出力し、移動通信装置から測定報告を受信するトランシーバであって、前記測定報告は、要求された測定の状態を示す、または、要求されたセル測定に対するネットワーク規定の適合性を示す測定状態データを含んでいる、トランシーバと、
１つ以上のさらなる測定報告を待つかどうかを判断するように、または、前記状態データに依存して、新規のネットワーク規定を定めるかどうかを判断するように、動作可能なコントローラと、を有するネットワーク通信ノード。
【発明の詳細な説明】
【技術分野】
【０００１】
本発明はセル通信装置に関する。本発明は、特に、ＧＳＭ標準、ＵＴＲＡＮ標準、およびＵＴＲＡＮのＬＴＥ（Long Term Evolution）（Ｅ−ＵＴＲＡＮ（Evolved Universal Terrestrial Radio Access Network）と呼ばれる）標準などのＥＴＳＩおよび３ＧＰＰ標準に従って動作するセル装置に関する。
【背景技術】
【０００２】
ＧＳＭ、ＵＭＴＳ、ＬＴＥなどの異なるセル方式の電話標準が存在し、これらの標準は、携帯電話などのユーザ装置（ＵＥ）が他のユーザ装置と電話ネットワークを通して通信できるようにするための動作周波数とプロトコルとを定義している。多くのＵＥは、これらの異なる標準を使用して動作可能であり、通常は最大の信号強度と最高のサービスレベルとを提供するネットワークノードに接続する。しかし、ＵＥは、移動に伴い、異なる技術を使用する異なるネットワークノードにハンドオーバーしなければならない。例えば、ＵＥは、最初にＬＴＥネットワークノードに接続されており、そのノードの範囲から出て、ＵＭＴＳネットワークノードのセル範囲に移動する場合がある。そのようなハンドオーバーは、ＵＥがハンドオーバー中にＲＡＴ（Radio Access Technology）を変更するので、「ｉｎｔｅｒ−ＲＡＴ」ハンドオーバーと呼ばれる。現在の３ＧＰＰ標準によれば、ＵＥがいつ他のネットワークノードにハンドオーバーすべきかをネットワークノードが決定する。ネットワークノードは、ネットワークノードがＵＥに提供した候補隣接セル（隣接セルリストで定められている）についてＵＥが提供した測定に基づいて、この決定を行う。
【０００３】
１つの電話機がサポートする技術の数が増加すると（つまり３つ以上）、ｉｎｔｅｒ−ＲＡＴ測定を管理するタスクはより複雑になる。現在の原理では、ネットワークは全て知っている（ＵＥの理論上の性能とＵＥの現在の状態とを詳細に知っている）ことになっている。そのため、ネットワークは、ｉｎｔｅｒ−ＲＡＴ測定をＵＥが行うことができるように、トラフィックギャップを（その技術に従って直接的または間接的に）管理できなければならない。さらに、ネットワークは、ＵＥが計画通りに動作可能であると仮定し、特定の時間枠内に結果が出ることを予期している。
【０００４】
したがって、ネットワークがＵＥにｉｎｔｅｒ−ＲＡＴ測定を要求した場合、実施する測定を定め、定期的な報告を設定してもよい。それに応答して、ＵＥは、管理ギャップ中に測定を実施し、適切な時に測定報告を送信する。ここで、
・幾つかの測定が報告される可能性がある。その場合、報告が完了していなければ（つまり、まだ測定されていないセルがあれば）、ネットワークはさらなる測定が受信されると仮定してもよい。
【０００５】
・測定が報告されない可能性がある。その場合、ネットワークはＵＥが全ての測定を完了した（つまり、報告にないセルはＵＥからは検知できない）と仮定してもよい。
【発明の概要】
【発明が解決しようとする課題】
【０００６】
しかし、発明者は、ネットワークが行うこれらの仮定には問題があり誤っているかもしれず、ＵＥの実時間状態と性能を完全に把握するよう努力し達成することは無駄になる可能性があることに気付いた。例えば、報告間隔の規定は、現在のＲＡＴにおいては、ＵＥの実際の性能と状況に対しては不適切であった可能性があり、また、ＵＥは、測定が完了したこと（つまり隣接セルを使用できなかったこと）を示さずに、いかなる測定も全く行うことができなかった可能性がある。この問題は、比較的長い報告間隔を定めているネットワークによって解決することができるが、この解決方法は効率的ではない。
【課題を解決するための手段】
【０００７】
一態様によれば、好ましい実施態様は、測定報告において新規の合図を提供し、さらなる測定が予期されるか否か（例えば、継続フラグ）を、または、ネットワーク規定が不適切であることを、ＵＥが明示的に示すことができるようにする。そのため、ネットワークは、一方または他方であるかの仮定をする必要がなく、また、ＵＥが測定が完了していないことを合図しているが、いかなる測定もまだ報告していない場合、少なくともその特定のＵＥに対して、そのギャップスケジューリングポリシーまたは定められた測定ギャップの調整が必要であると判断することができる。
【０００８】
移動セル装置がセル測定を取得するよう命令されたときに状態データをネットワークに返信するように構成されているセル通信システムが提供される。状態データは、使用される場合（例えば、要求通りに測定が完了し報告されている場合、状態データが必要でない可能性がある）、測定中であり、さらなる測定報告が続く可能性があること、または、続くことになることを示していてもよい。また、状態データは、ネットワークが定めた報告間隔および／または測定ギャップが、移動装置の現在の状態に対して、測定を行うのに適切であるかどうかを示していてもよい。また、測定報告を受信できると共に、さらなる測定結果を待つか、新規の報告間隔または新規のセルリストを発行するか、またはセル測定を行ってもよいアイドルギャップの新規の構成を設定するかを判断するために、状態データを解釈できるネットワークノードが設けられている。
【０００９】
一態様によれば、本発明は、セル通信装置を提供し、このセル通信装置は、隣接セルリストを含む測定制御命令を受信する手段と、セル通信装置の現在の状態に依存した測定を行うためのネットワーク規定の適合性を判断する手段と、要求された測定の状態を示す、または、ネットワーク規定の適合性を示す測定状態データを含む測定報告を生成する手段と、を有している。
【００１０】
最初の測定報告は、状態データだけでなくセル測定を含んでいてもよい。しかし、この報告は、特に、報告間隔が装置に対して適切ではないことを状態データが示している場合、報告間隔によって定められている最初の測定機会の前に送信されてもよい。
【００１１】
報告された状態データは、報告可能な全てのセルが報告済みであるか否かと、以降の報告する機会においてさらなるセルが報告される可能性があるまたは報告されることになるか否かと、を示す２進フラグまたは列挙値を含んでいてもよい。状態データは、さらなるセルが報告される可能性があるが、報告間隔によって非効率な動作になることを示すデータを含んでいてもよい。
【００１２】
状態データは、装置が、報告間隔によって定められている最初の報告時刻までに、要求された測定を実行できるか否かを示す、または、測定ギャップが短すぎるかおよび／または、他の予約されているリソースに近すぎるか否かを示すデータを含んでいてもよい。
【００１３】
状態データは、測定を完了する予測時刻を示すデータまたは効率的な測定を可能にする最短報告間隔を示すデータを含んでいてもよい。
【００１４】
他の態様によれば、本発明は、１つ以上のセル通信装置と通信するように動作可能なネットワーク通信ノードを提供し、このネットワーク通信ノードは、最初の隣接セルリストを含む測定制御命令をセル通信装置に出力する手段と、要求された測定の状態を示す、または、測定に対するネットワーク規定の適合性を示す測定状態データを含む測定報告を移動通信装置から受信する手段と、１つ以上のさらなる測定報告を待つか、または、状態データに依存して新規のネットワーク規定を定めるかを判断する手段と、を有している。
【００１５】
セル測定値が以降の報告の機会に報告される可能性があるまたは報告されることになることを状態データが示している場合、判断する手段は、１つ以上のさらなる測定報告を待つと判断する。しかし、状態データがさらなるセルが報告されることを示しているが測定ギャップが非効率的な動作を引き起こすことを示すか、または、測定ギャップが短すぎるかおよび／または他の予約されているリソースに近すぎるかを示すデータを含む場合、判断する手段は、セル装置に対して新規の測定ギャップパターンを定めるように動作可能である。
【００１６】
状態データが効率的な測定を可能にする最短測定ギャップを示すデータを含む場合、ネットワークノードは、異なる測定ギャップを定めることが可能かどうかを判断してもよい。測定ギャップは、セル装置に明示的に合図したり、定められたアイドル期間にネットワークノードが暗示的に規定したりしてもよい。
【００１７】
ネットワークノードは、（セル装置からの状態データ内に示されることで）最終であると知らされた測定報告の受信に応答して、新規のセルリストを備える新規の測定命令を生成するか否か、または、他のセルにハンドオーバーするかどうかを判断することになる。
【００１８】
本技術は、ＵＥが２つ以上のアクセス技術（ＲＡＴ）間のハンドオーバーをサポートしている場合に主に適用される。本技術は、報告すべきセルが指定されたＵＥから隣接セル測定を取得した後に、および、結果を報告する時に、１つまたは任意のアクセス技術をネットワークが制御する場合に適用される。そのため、本発明は、特に、ＧＳＭとその派生技術、ＵＭＴＳとその派生技術、および、ＬＴＥとその派生技術に適用される。
【００１９】
ある実施態様においては、ＵＥが空の報告または空ではない報告（測定結果を備えているまたは備えていないということを意味している）を備えるさらなる情報を提供できるように、さらなる値が定義されている。例えば、
・ｉｎｔｅｒ−ＲＡＴ測定に対するネットワーク規定が十分か否かを示すフラグを設けてもよい。当然ながら、空ではない報告内ではそのようなフラグは必要なく、規定は明らかに適切である。しかし、空の報告においては、任意の測定を提供するために異なるギャップパターンをＵＥが要求していることを暗示するために、負の値が使用される可能性がある。この場合、空の報告内の正の値が以下の２つに解釈可能であるため、依然として曖昧さが残る。ａ）ＵＥはこの報告の機会までに完了した測定は処理しなかったが、空でない報告が最終的に予期され、ギャップパターンがＵＥによって許容可能であると考えられるものの時間がかかる。ｂ）ＵＥは実際に報告するものがない。
【００２０】
・測定が完了したか否かを示すフラグを設けてもよい。これは、ネットワークが何らかを予期すべきかどうかを示しているが、スケジューリングポリシーが適切であると見なしているわけではない。空ではない報告においては、このフラグは明確である。このフラグは、全ての要求されたセルが測定可能でなかった場合でも、測定サイクルの最後を合図している（さらなる報告は報告済みのセルに関連する）。空の報告においては、正の値は報告することがないことを合図しているが、負の値は以下の２つに解釈可能である。ａ）さらなる測定が最終的に報告されることになる。ｂ）ＵＥは現在のギャップパターンを使用できない。
【００２１】
・（上述した曖昧さを解決する）以下の３つの状態を示すフラグを設けてもよい。「すべての測定が完了した」（報告は空の可能性もあるし、空でない可能性もある）、「さらなる測定が予期される」（報告は空の可能性もあるし、空でない可能性もある）、「異なるギャップパターンを提供してください」（報告は論理的には空であるべきである）。
【００２２】
その代わりに、測定の完了とギャップパターンの適切さとを、独立したフラグによって報告することができる。
【００２３】
さらなる実施態様において、上述の選択肢に加えて、現在の測定のサイクルを完了するのに必要な報告の機会の予測値を示すと共に、ＵＥが現在の測定サイクルの終了を予測できないことを示す値を含む、さらなる値を設けてもよい。
【００２４】
一実施態様において、ＵＥは、「すべての測定が完了した」値または他の値を、さらなるセルを測定しないと判断したことを示すために使用することができる。
【００２５】
そのような測定報告は、通常、定期的に実施されるが、この概念は非定期な報告に拡張することができる。例えば、ＵＥは、測定の部分集合を報告することを決定し、さらなる測定の送信を意図していることを示してもよい。そして、ＵＥは、通常の定期的な報告間隔外の適切な時刻に他の結果を送信することが可能であり、ネットワークは次の報告を待つことになる。
【００２６】
本発明はまた、対応する方法とプログラム可能なコンピュータ装置とが上述の移動装置または上述のネットワークノードとして構成されるようにする、コンピュータ実装可能な命令を有するコンピュータ実装可能な命令製品も提供する。この製品はコンピュータ読み取り可能な媒体または命令を搬送する信号を有していてもよい。
【００２７】
本発明のこれらの、そして様々な他の態様は、添付の図面で参照され、例としてのみ記述されている実施形態の以下の詳細な記述から明らかになろう。
【図面の簡単な説明】
【００２８】
【図１】実施形態を適用可能な移動遠距離通信システムの模式図である。
【図２】図１に示したシステムの一部を構成しているネットワーク基地局の構成要素を示すブロック図である。
【図３】図１に示したシステムの一部を構成している移動通信装置の構成要素を示すブロック図である。
【図４】図１に示した移動通信装置と基地局との間のデータの流れを示すタイミング図である。
【発明を実施するための形態】
【００２９】
（概要）
図１は、携帯電話３と、３つの無線アクセスネットワーク５−１、５−２、５−３と、対応するコアネットワーク７−１、７−２、７−３と、を有している移動（セル）遠距離通信装置１の一部を模式的に示している。各無線アクセスネットワーク５は、図１において、Ｃ1、Ｃ2、Ｃ3とラベルが付された各セル内の携帯電話３と通信するように動作する。本実施形態では、無線アクセスネットワーク５−１はＥ−ＵＴＲＡＮアクセスネットワークであり、無線アクセスネットワーク５−２はＵＭＴＳアクセスネットワークであり、無線アクセスネットワーク５−３はＧＳＭアクセスネットワークである。本実施形態において、携帯電話３は、Ｅ−ＵＴＲＡＮセル、ＵＭＴＳセル、ＧＳＭセルと接続または通信が可能なマルチＲＡＴ装置である。図において、携帯電話３は、全てのセル内にあるため、３つのアクセスネットワーク５のいずれにも接続可能であり、選択された無線アクセスネットワーク５、それに対応するコアネットワーク７、および電話ネットワーク９を介して、他のユーザ（不図示）と通信できる。
（無線アクセスネットワーク）
各無線アクセスネットワーク５は、各々が異なるサービスを携帯電話３に提供する多数のセルを動作させてもよいが、本実施形態では、説明を簡単にするために、各無線アクセスネットワーク５は、１つのセルを動作させると仮定する。Ｅ−ＵＴＲＡＮの場合は、無線アクセスネットワーク５−１は基地局（ｅＮｏｄｅＢまたは単にｅＮＢと呼ばれる）から構成されており、適切なハンドオーバーの判断を行うために基地局がセル測定の実行を携帯電話３に命令する。他の無線アクセスネットワークにおいては、無線アクセスネットワークまたはコアネットワーク７内の他のネットワークノードがセル測定の実行を携帯電話３に命令する可能性がある。しかし、説明を簡単にするために、本実施形態では、携帯電話３はＥ−ＵＴＲＡＮ基地局５−１に関連付けられていると仮定し、基地局５−１の主要な構成要素を図２に示す。図示のように、基地局５−１は、１つ以上のアンテナ２２を通して携帯電話３に信号を送信し、携帯電話３から信号を受信するように動作可能であり、かつ、コアネットワークインターフェイス２３を通してコアネットワーク７−１に信号を送信し、コアネットワーク７−１から信号を受信するように動作可能であるトランシーバ回路２１を含む。また、基地局５−１は、メモリ２７に保存されているソフトウェアに従って基地局５−１の動作を制御するコントローラ２５も含む。ソフトウェアは、特に、オペレーティングシステム３１、ハンドオーバーモジュール３２、および報告モジュール３３を含む。ハンドオーバーモジュール３２は、携帯電話３の他のセルへのハンドオーバーを制御するように動作可能である。報告モジュール３３は、携帯電話３に対し、定められた時間内に所望のｉｎｔｅｒ−ＲＡＴ測定を実施し、これらの測定を基地局５−１に提供する命令をするように動作可能である。これにより、ハンドオーバーモジュール３２は、この情報を使用して、ハンドオーバーのための最良の目標セルを確認することができる。
【００３０】
また、メモリ２７は、隣接セルデータ３４と携帯電話（ＭＴ）性能データ３５などを含む様々なデータを保存している。報告モジュール３３は、隣接セルデータ３４を使用して、携帯電話３が測定を得られるセルを識別する。報告モジュール３３は、ＭＴ性能データ３５を使用して、携帯電話３が測定報告を提供すると予期される適切な報告間隔を計算する。
（携帯電話）
図３は、図１に示した携帯電話３の主要な構成要素を模式的に示している。図示のように、携帯電話３は、１つ以上のアンテナ７３を通して信号を無線アクセスネットワーク５に送信し、無線アクセスネットワーク５から信号を受信するように動作可能なトランシーバ回路７１を含む。また、図示のように、携帯電話３は、携帯電話３の動作を制御し、トランシーバ回路７１、ラウドスピーカ７７、マイク７９、ディスプレイ８１、およびキーパッド８３に接続されたコントローラ７５を含む。コントローラ７５は、メモリ８５内に保存されているソフトウェアモジュールに従って動作する。図示のように、これらのソフトウェアモジュールは、特に、オペレーティングシステム８７、測定モジュール８９、および報告モジュール９１を含む。基地局５−１からの命令の受信に応答して、報告モジュール９１は、測定モジュール８９に所望の測定を取得させ、これらの測定を無線アクセスネットワーク５に送信するように動作可能である。また、メモリ８５は、無線アクセスネットワーク５から受信した隣接セルリスト９３を保存している。測定モジュール８９は、隣接セルリスト９３を使用して、測定が得られるセルを識別し、また、報告モジュール９１は、取得した１つ以上の報告を無線アクセスネットワーク５に送信する。以下で詳細に説明するように、この実施形態においては、報告モジュール９１は、携帯電話３から受信した測定報告を解釈する場合に無線アクセスネットワーク５が正しい結論を導き出せるように、フィードバック情報を定めて、無線アクセスネットワーク５に送信する。
【００３１】
上述の説明においては、理解が容易になるように、基地局５−１と携帯電話３が独立したソフトウェアモジュールを有しているように説明した。これらのソフトウェアモジュールは、例えば、既存の装置を修正して本発明を実装するような特定の用途に対して設けられているが、他の用途では、例えば、本発明の新規の特徴をはじめから考慮して構成された装置において、これらのモジュールの機能を１つのモジュールが実行したり、オペレーティングシステムやコード全体に組み込んだりしてもよく、そのため、これらのモジュールは個別の存在として識別できなくてもよい。
（動作）
次に、本実施形態の動作について、図４に示すタイミング図を参照し、シナリオの例を挙げて説明する。図示のように、この工程は、ステップｓ１において、基地局５−１が携帯電話３に対し、１回以上の報告時刻（命令内でｒｅｐｏｒｔｉｎｇ＿ｉｎｔｅｒｖａｌによって指定される）に隣接セル（命令内でｎｃ＿ｌｉｓｔによって指定される）についての測定を報告するように求める測定制御命令を送信したときに開始される。基地局５−１は、携帯電話３について保存している性能データ３５に基づいて報告間隔を決定すると共に、保存している隣接セルデータ３４に基づいて隣接セルリストに含めるセルを決定する。この命令の受信に応答して、携帯電話３は、報告間隔を記録し、隣接セルを現在のセルリスト９３として保存する。この例では、ステップｓ３に示すように、携帯電話３は、この命令を受信した時刻にビジー（例えば、携帯電話３の使用者が一方的に選択したマルチメディア・ブロードキャスト・マルチキャスト・サービス（ＭＢＭＳ）リソースに近すぎる報告間隔を基地局５−１が規定しており、周波数切り替えの遅延のために報告間隔を全部使用できない可能性がある）であるため、最初の報告の機会までに全ての所望の測定を取得してそれらを基地局５−１に報告することができない。そのため、最初の報告の機会において、ステップｓ５では、携帯電話３は、測定は備えていないが、「追加の」測定が続く可能性があることを示すフラグを備えている報告を送信する。ステップｓ７において、基地局５−１は、報告に含まれている「追加」フラグを識別して、測定が送信される可能性があると解釈する。そのため、基地局５−１は、何もしないことを決定し、この携帯電話３についてのさらなる決定を一切せずに次の報告の機会まで待つ。次の報告の機会において、ステップｓ９では、携帯電話３は、報告すべきいくつかの（しかし全部ではない）測定を有しており、そのため、利用可能なセル測定とさらなる測定がまた報告される可能性があることを示す他の「追加」フラグとを含む他の測定報告を準備し送信する。
【００３２】
ステップｓ１１において、基地局５−１は、第２の測定報告を受信し、それに含まれる測定を保存する。基地局５−１は、「追加」フラグを再び識別して解釈し、この携帯電話３についてのさらなる決定をする前に、次の報告機会を再び待つ。ステップＳ１３において、携帯電話３は、最終測定報告を基地局５−１に送信する。携帯電話３は、「終了」フラグを最終測定と共に報告に含めることによって、受信した命令に関してこの報告が最終の報告であることを明らかにする（命令が定期的な報告の要求である場合、この「最終」報告は実際には最終ではなく、現在のサイクルの最終の報告であるに過ぎない可能性がある）。ステップｓ１５において、基地局５−１は、最終測定を保存すると共に、「終了」フラグを解釈して、ステップs１において基地局が送信した隣接セルリスト内に一覧表示されているセルについての測定報告の送信を（現在のサイクルにおいて）携帯電話３が終了したと判断する。そして、基地局５−１は、保存されている測定を処理して、他の測定サイクルを待つべきかどうか、新規のセルリストを携帯電話３に送信すべきかどうか、またはハンドオーバーを実施すべきかどうか、そしてハンドオーバーをすべき場合はどれを目標セルとするかを判断する。
【００３３】
したがって、上述の実施形態は、携帯電話３が完了していない可能性がある測定と共に、または、測定なしに、測定報告の機会にその測定の状態について何らかのフィードバックを提供することを可能にしている。
（実施形態の効果）
本実施形態には以下の効果を含む。
【００３４】
１．フィードバックは、特に、測定が完了していない場合または測定がまったくない場合に、ネットワークが最も適切な判断を行うための助けになるであろう。フィードバック次第で、ネットワークは、次の測定報告の機会を待つことが最良の可能性があり、新規のセルの集合を対象としたり、測定ギャップを延ばしたり、セルを別の構成にしたりすることが最良となる可能性がある。
【００３５】
２．提案されたフィードバック情報を使用して、ネットワークは、「携帯電話３が時間通りに測定を報告しない場合、それは提案したセルを検出できないことを通常意味する」などといった統計分析、または、ネットワークが実装する他の発見的学習に基づく仮定を行うことを回避することができる。
【００３６】
３．ネットワークは、このフィードバック・メカニズムを使用する携帯電話を使用して、報告期間を定める場合に、保守的なマージンを適用しないで、「危険を冒すこと」を選択してもよい。これは、ネットワークは、携帯電話３がより長い報告期間が必要なことをネットワークに即座に知らせることを確信しているためである。
【００３７】
４．ハンドオーバー時間の短縮が可能となる以外に、候補セルがより評価されより選択されるので、ハンドオーバーの失敗（または成功してもサービス品質の低下を伴う場合）の頻度が減少するはずである。
【００３８】
したがって、本実施形態は、既存の標準に対する変更を要求する。特に、上述の実施形態を実装するために、携帯電話３がフィードバック情報をネットワークに提供できるよう既存の標準を適合させる必要がある。さらに、標準を、基地局５−１（または関連するＲＡＴに依存する他のネットワークノード）が、さらなる測定を待つか新規のセルリストを発行するかを判断するときに、フィードバック情報を受信し使用できるように適合させる必要がある。
（修正と代替）
詳細な実施形態を説明した。当業者は、上述の実施形態において具現化された本発明から依然として恩恵を得ながら、上述の実施形態について様々な修正と代替が可能であることを理解するであろう。以下、それらの代替と修正の例を説明する。
【００３９】
携帯電話が返信するフィードバック情報には範囲がある。理想的には、包括的なフィードバック（以下で説明する全ての選択肢の適切な組み合わせなど）によってネットワークは最適な判断を行うことができるであろう。しかし、関連する標準化機関は、関連するビットオーバーヘッドを減少させるように、より基本的なフィードバックを好む可能性がある。例えば、フィードバックを、現在の条件下で測定が可能であるか否かを示す単純なフラグに限定してもよいし、または、測定報告が携帯電話による測定を完了したと見なしている（報告されていないセルは、検出不能であるか、または、報告されているセルよりも明らかに悪いので、さらなる報告を待つことは無駄であると確認している）か否かを示す単純なフラグに限定してもよいし、これら両方のフラグの組み合わせに限定してもよい。携帯電話３は、測定に利用可能なリソースに関する問題を定性的に示してもよい（測定ギャップが短過ぎる、または、測定ギャップが予約されているリソース（例えば、ＭＢＭＳの「スロット」）に近すぎるなど）。標準化機関は、将来の使用のために、使用されていないフィードバックコードを受け入れる可能性がある。また、携帯電話３は、現在の条件下（報告の機会の数として与えられている）で、現在の一連の測定を完了するのに必要な時間の予測を返信してもよい。また、報告が完了したこと（例えば、さらなる機会がないこと）を示す値が存在したり、決してないこと（測定ギャップが不適切である示すことと等価であること）を意味する値が存在したりしてもよい。これら全ての選択肢は、相互排他的ではないが、もちろん相互排他的な場合もある。
【００４０】
ＧＳＭとＵＭＴＳにおける測定報告は非常に柔軟である。新規の選択肢の情報要素（ＩＥ）を追加することは何ら困難ではない。これらに続く標準も同じように柔軟であろうが、この場合、ＩＥの追加が問題となることは少ない。今回提案するＩＥの例を以下に定義する。様々な例からのフィールドを組み合わせることによって、さらなるＩＥを定義することができる。どのようなフィールドも必須または選択肢である。それらの判断は、関連する標準化機関の問題である。
【００４１】
妥当な選択肢は、以下に示すフィールドから選択されたフィールドの小さな集合を有する１つの選択肢のＩＥに存在する。ただし、以下の例の組み合わせは冗長となることがあり、解において選択すべきではない。
【００４２】
【表１】
0005488611.tif 000002
【００４３】
値が相互に排他的である限り、フィールドを（２進フラグではなく）列挙型となるように組み合わせることもできる。使用される実際の数値は任意であり、標準によって定める必要がある。
【００４４】
最終的に、測定フィードバックＩＥを測定報告内の唯一のＩＥまたは少なくとも唯一の選択肢のＩＥとすることができるはずである。この場合、ＩＥは、純粋にフィードバックの目的で送信され、必ずしも指定された間隔の後に送信する必要はない。例えば、携帯電話３は、測定ギャップが不適切であると判断した場合、最初の報告の機会を待たずに、フィードバックを直ちに送信することができる。
【００４５】
携帯電話の合図の能力を強化して、携帯電話３がネットワークにこの測定フィードバックを使用することを示すことが役に立つ可能性がある。
【００４６】
上述の実施形態において、基地局は、測定命令を発行し、ハンドオーバーについて判断する。当業者が理解するように、この機能は他の無線アクセス技術の他の何らかのネットワークノードによって実施されてもよい。
【００４７】
上述の実施形態において、多数のソフトウェアモジュールを説明した。当業者が理解するように、ソフトウェアモジュールはコンパイルされたまたはコンパイルされていない形態で提供されてもよく、コアネットワーク、無線アクセスネットワーク、または携帯電話にコンピュータネットワークを通した信号としてまたは記録媒体として供給されてもよい。さらに、このソフトウェアの一部または全部によって実行される機能は、１つ以上の専用のハードウェア回路を使用して実行してもよい。しかし、ソフトウェアモジュールは、無線アクセスネットワーク５と携帯電話３の更新を促進するので、無線アクセスネットワーク５と携帯電話３の機能を更新するためには、ソフトウェアモジュールを使用することが好ましい。
【００４８】
上述の実施形態において、多数の無線アクセスネットワークと通信する携帯電話が設けられていた。当業者が理解するように、本発明は、ラップトップコンピュータ、ＰＤＡ、またはハンドヘルドポータブルコンピュータ装置などの他の種類のユーザ装置（ＵＥ）に適用可能である。
【００４９】
上述の実施形態において、各無線アクセスネットワークはそれ自身のコアネットワーク７に接続されていた。当業者が理解するように、セルは、同じセルを使用する数個のコアネットワーク７が存在することもあるアーキテクチャ、または、同じコアネットワークに関連して動作する（異なるＲＡＴの）数個のセルが存在することもあるアーキテクチャを共有するネットワークの一部とすることができる。
【図１】
0005488611.tif 000003
【図２】
0005488611.tif 000004
【図３】
0005488611.tif 000005
【図４】
0005488611.tif 000006